(57)【要約】【課題】  玉箱を設置した状態であって、且つ、計数操作部を操作したときのみ、開閉アームが可動可能とし、安価で構成で怪我や故障を防止することが可能な計数装置を提供することを目的とする。【解決手段】  計数装置には、当接体を有した開閉アームと、開閉アームの可動を操作する計数操作部と、を備え、玉箱を計数装置に設置し、玉箱と当接体が当接することにより、シャッターと開閉アームが係合し且つ、計数操作部の操作によって、開閉アームが当接体を支点として回動動作することで、シャッターが開閉可動とすることを特徴とする【選択図】      図５
2010042067.tif 000002
【特許請求の範囲】
【請求項１】
遊技台毎に設置され、遊技台の下皿から排出された遊技玉を、底面縁部に排出窓と、可動することで前記排出窓を開状態、もしくは閉状態とするシャッターと、を備えた着脱自在の玉箱に受け入れ、前記排出窓が開状態時に前記遊技玉を計数して遊技島内に回収する計数装置において、
前記計数装置には、
当接体を有した開閉アームと、
前記開閉アームの可動を操作する計数操作部と、を備え、
前記玉箱を前記計数装置に設置し、
前記玉箱と前記当接体が当接することにより、
前記シャッターと前記開閉アームが係合し且つ、前記計数操作部の操作によって、
前記開閉アームが前記当接体を支点として回動動作することで、
前記シャッターが開閉可動とすることを特徴とする計数装置。
【請求項２】
前記開閉アームは、
一端側を前記シャッターと係合し、他端側を前記計数操作部により従動することを特徴とする請求項１記載の計数装置。
【発明の詳細な説明】
【技術分野】
【０００１】
本発明は、遊技台毎に設けられ、遊技台の下皿から排出された遊技玉を、排出窓と、前記排出窓を開状態、もしくは閉状態とするシャッターと、を備えた着脱自在の玉箱に受け入れ、遊技台の下皿から排出された遊技玉を計数して遊技島内に回収する計数装置に関する。
【背景技術】
【０００２】
従来、遊技場においては、遊技客が玉箱に入れた遊技玉を遊技島の島端等に設けられた玉計数機に投入することによって、獲得した賞球として計数することが行われている。その際、遊技客が獲得した賞球を収納する玉箱をひっくり返して、計数機内に遊技玉を移していたが、昨今、玉箱をひっくり返す必要が無く、玉箱内に収納された遊技玉を計数機へ移すことが可能な玉箱が下記参考文献により提案されている。
【０００３】
特許文献１を参照すると、このパチンコ玉収納箱（玉箱）は、収容箱本体の底壁の前後縁部に排出窓部を有し、底壁から上下ガイド杆が立設され、このガイド杆にて上下動自在に開閉用可動体（シャッター）がガイドされる。開閉用可動体の上昇状態では、排出窓部が開状態となり、開閉用可動体の下降状態では、排出窓部が閉状態となる。
【特許文献１】特開平０９−４７５６９
【０００４】
また、上記玉箱の可動体を上下に可動させ収納する遊技玉を計数機に移すために、該計数機側には、前記可動体を上下動自在に開閉するための開閉アームが備えている。開閉アームは、可動体を開閉するため計数機から外向きに突出状態で設けられ、手動、もしくは自動で上下可動する。
【０００５】
また、近年では遊技島の島端ではなく、遊技台毎に計数機が設置され、遊技客は離席せず、計数作業を行える装置が提案されている。上記装置は遊技台１台毎に、該遊技台の下皿下方の膳板に備えられ、参考文献に示す玉箱を設置できるようにすると共に、該玉箱に設けられた可動体を開閉する開閉アームを備えていた。
【発明の開示】
【発明が解決しようとする課題】
【０００６】
しかしながら、各遊技台に計数を行う装置を設けた際、玉箱が設置されていない状態においても開閉アームは動作可能なため、遊技客の誤操作や電気的な誤作動により、可動動作する開閉アームに遊技客の身体の一部（指や腕等）や、タバコなどの物品を挟みこんでしまい、怪我等の事故や故障の原因となっていた。また、前述する事故や故障を防ぐために、玉箱が設置されているか否かを検知するセンサを設け、開閉アームの動作を制御する手段もとられたが、コストアップの要因となっていた。
【０００７】
本発明は上記課題を鑑み、玉箱を設置した状態であって、且つ、計数操作部を操作したときのみ、開閉アームが可動可能とし、安価で構成で怪我や故障を防止することが可能な計数装置を提供することを目的とする。
【課題を解決するための手段】
【０００８】
上記の問題を解決するために、本発明の請求項１の、遊技台毎に設置され、遊技台の下皿から排出された遊技玉を、底面縁部に排出窓と、可動することで排出窓を開状態、もしくは閉状態とするシャッターと、を備えた着脱自在の玉箱に受け入れ、排出窓が開状態時に遊技玉を計数して遊技島内に回収する計数装置において、計数装置には、当接体を有した開閉アームと、開閉アームの可動を操作する計数操作部と、を備え、玉箱を計数装置に設置し、玉箱と当接体が当接することにより、シャッターと開閉アームが係合し且つ、計数操作部の操作によって、開閉アームが当接体を支点として回動動作することで、シャッターが開閉可動とすることを特徴とする。また、開閉アームは、一端側をシャッターと係合し、他端側を計数操作部により従動することを特徴とする。
【発明の効果】
【０００９】
本発明によれば、計数装置に玉箱を設置したときに玉箱と当接体が当接することにより、シャッターと開閉アームが係合し且つ、計数操作部の操作によって、開閉アームが当接体を支点として回動動作し、シャッターが開閉可動するので、玉箱が設置されていない場合において、遊技客が計数操作部を操作しても開閉アームは可動せず、遊技客の身体の一部やタバコといった物品を挟むことが無く、安価な構成で怪我や故障といった問題を防止することが可能である。
【発明を実施するための最良の形態】
【００１０】
以下、本発明の実施例について図面を参照しながら説明する。
【実施例１】
【００１１】
以下、各図面に基づき本発明の計数装置９を詳細に説明する。本発明による図１は計数装置９が設置された遊技島１の外観斜視図を示す図である。図１に示すとおり遊技島１においては、遊技台３を横方向、直線的に配列し、遊技台３の１台毎に、遊技客に遊技媒体を貸し出す貸出機５が連設されている。遊技台３の設置位置の下方には膳板７が設けられ、遊技島１に対してほぼ直交するように外側に向かって突設する。前記膳板７には、遊技台３の１台毎、該遊技台３の下皿３ａ下方に計数装置９が設けられて、前記計数装置９に玉箱１１を設置することが可能である。  
【００１２】
前記玉箱１１は、上方が開口する箱型形状でその内部に遊技台３の下皿３ａから排出された遊技玉を受けて貯留する。玉箱１１の遊技台３側底面縁部には、後述する計数開口部９ｃと連通する排出窓１１ａを有しており、該排出窓１１ａの前方側に配置され上下に可動する可動体としてシャッター１１ｂを備えている。前記シャッター１１ｂは、後述する玉箱シャッター開閉機構１３にて可動する開閉アーム２７により上下に摺動し、玉箱１１の内部に貯留する遊技玉を排出窓１１ａより、該排出窓１１ａに連通する計数開口部９ｃへ移し、図示しない計数部にて賞球として計数され、遊技島１内に回収する。
【００１３】
図２は膳板７に設けた計数装置９を示す外観斜視図である。計数装置９は、遊技台３の下皿３ａ下方に設けた膳板７に設置枠９ａを設け、その内周部を玉箱設置部９ｂとして形成している。前記玉箱設置部９ｂの遊技台３側略中央には、該玉箱設置部９ｂに玉箱１１が設置された際、該玉箱１１の排出窓１１ａと連通する計数開口部９ｃを有している。該計数開口部９ｃの略中央には、玉箱１１の排出窓１１ａの前方に配置されたシャッター１１ｂを上下摺動可動させるための、後述の玉箱シャッター開閉機構１３と連動する開閉アーム２７が突設されている。また、設置枠９ａの側面一方には該玉箱シャッター開閉機構１３を動作させるレバー片１５ａに配した計数レバー１５を備えている。
【００１４】
図３は玉箱シャッター開閉機構１３の詳細を示す図である。玉箱シャッター開閉機構１３は、膳板７に設けた計数装置９の底面に備えられ、クランク機構を形成し、レバー片１５ａに配した計数レバー１５の操作により、開閉アーム２７が可動する構造となっている。玉箱シャッター開閉機構１３は、計数レバー１５を配したレバー片１５ａと、後述のアームガイド２９に挟持され、玉箱１１に設けたシャッター１１ｂを上下可動させるための開閉アーム２７と、該開閉アーム２７を作動させるアーム作動体２５と、レバー片１５ａとアーム作動体２５を連結する第１クランク１７、第２クランク１９、第３クランク２１と、から構成される。
【００１５】
レバー片１５ａに配した計数レバー１５を操作すると、レバー片１５ａは軸部１５ｂを中心に回動することで、レバー片１５ａと連結する第１クランク１７が図中右方向に動作し、第１クランク１７と連結する第２クランク１９が軸部１９ａを中心に図中左方向に回動する。第２クランク１９に連結した第３クランク２１は、該第２クランク１９の回動動作により、図中左方向に動作し、該第３クランク２１に連結したアーム作動体２５を摺動する。アーム作動体２５は長穴２５ａを有し、計数装置９の底面側に設けたガイド部２３にその側面側をガイドされた状態で作動軸２５ｂにより固定され、連結する第３クランク２１により前後方向（図中左右方向）に摺動することが可能である。
【００１６】
図４は、開閉アーム２７の詳細を示す外観斜視図である。開閉アーム２７は、略くの字形状で、略中央の両側面側に円筒状の当接体２７ａを有している。また、開閉アーム２７の一方側端部には、アーム作動軸２７ｂが一体的に形成している。前記開閉アーム２７は、その両側面にアーム作動軸２７ｂを挿通する長穴２９ａを形成したアームガイド２９により挟持されている。第３クランク２１により摺動するアーム作動体２５の一端には軸受部２５ｃを形成し、アームガイド２９の長穴２９ａに挿通したアーム作動軸２７ｂを下方向より受ける。前述する構造により、前後に摺動するアーム作動体２５によって、該アーム作動体２５の軸受部２５ｃで受けているアーム作動軸２７ｂが、アームガイド２９の長穴２９ａに沿って摺動し、それに伴い開閉アーム２７が可動する構造となっている。
【００１７】
次に図５、図６を用いて、作用を説明する。図５は計数装置９に玉箱１１が設置された状態において、開閉アーム２７の作動状態を示す部分断面図であり、（ａ）は計数レバー１５を操作しない状態を示す図であり（ｂ）は計数レバー１５を操作した状態を示す図である。また、図６は、計数装置９に玉箱１１を設置しない状態において開閉アーム２７の作動状態を示す部分断面図であり、（ａ）は計数レバー１５を操作しない状態を示す図であり（ｂ）は計数レバー１５を操作した状態を示す図である。
【００１８】
玉箱設置部９ｂに玉箱１１が設置された際（図１に示す状態）、該玉箱１１のシャッター１１ｂ側の側面に設けられた挿入部１１ｃより開閉アーム２７が挿入され且つ、玉箱１１の遊技台３側の側面が開閉アーム２７の両側面に有した当接体２７ａに当接し、シャッター１１ｂに形成された押上片１１ｄに開閉アーム２７が係合する。（図５（ａ）の状態）本状態において、シャッター１１ｂは排出窓１１ａの前面を閉じる状態（閉状態）であり、玉箱１１の内部に収容する遊技玉は該内部にて貯留されている。
【００１９】
前述する状態において、計数レバー１５を操作すると、該計数レバー１５が配されたレバー片１５ａの作動を連結された第１クランク１７、第２クランク１９、第３クランク２１により伝達し、アーム作動体２５が前方方向に摺動するとともに、該アーム作動体２５がアーム作動軸２７ｂをアームガイド２９の長穴２９ａに沿って摺動する。
【００２０】
開閉アーム２７の当接体２７ａが玉箱１１の側面と当接されている状態で、アーム作動体２５がアーム作動軸２７ｂを摺動することで、開閉アーム２７に有した当接体２７ａを支点として該当接体２７ａを中心に開閉アーム２７が回動し、開閉アーム２７の先端部が上方に突出することで、該開閉アームの先端部と係合する該押上片１１ｄを持ち上げ、シャッター１１ｂを上方向に可動させ開状態となり、玉箱１１の排出窓１１ａと計数開口部９ｃとが連通する。（図５（ｂ）の状態）前述する操作により、シャッター１１ｂが上方向に可動することで排出窓１１ａが開状態となり、玉箱１１の内部に貯留された遊技玉は、該排出窓１１ａから計数開口部９ｃへ流出し、図示しない計数部にて計数され、遊技島１内に回収される。
【００２１】
また、図６に示すように、玉箱設置部９ｂに玉箱１１が設置されていない状態において、図６（ａ）に示すとおり、開閉アーム２７は玉箱設置部９ｂより上方に突出しない状態となる。その際、計数レバー１５を操作してアーム作動体２５がアーム作動軸２７ｃを摺動しても、開閉アーム２７の当接体２７ａが玉箱１１と当接していないので、図６（ｂ）に示すとおり、玉箱設置部９ｂより上方に突出せず、該開閉アーム２７の先端部が計数開口部９ｃの縁に少量乗り上げる程度可動する。
【００２２】
本発明によれば、計数装置７に玉箱１１を設置したとき、玉箱１１と当接体２７ａが当接することにより、シャッター１１ｂと開閉アーム２７が係合し且つ、計数レバー１５の操作によって、開閉アーム２７が当接体２７ａを支点として回動動作し、シャッター１１ｂが開閉可動するので、玉箱１１が玉箱設置部９ｂに設置されていない状態において、遊技客の誤操作や電気的な誤作動により、開閉アーム２７が作動しても該開閉アーム２７が上方に突出することがなく、遊技客が身体の一部（指、腕等）や、タバコなどの物品を挟んでしまうことも無いので、怪我や故障といった問題を防ぐことが可能である。
【００２３】
また、怪我や故障といった問題を防ぐための玉箱１１が設置されているか否かを検知するセンサを設け、開閉アーム２７の動作を制御する手段を備えなくても、安価な構成で事故や故障を防ぐことが可能であるため、コストアップになることがない。
【００２４】
本実施例において、開閉アーム２７は、計数レバー１５を操作することで動作するが、それに限定するものではなく、モータ、ソレノイド等を使用し自動で動作する機構でもよい。
【図面の簡単な説明】
【００２５】
【図１】計数装置９が設置された遊技島１を示す外観斜視図である。
【図２】膳板７に設けた計数装置９を示す外観斜視図である。
【図３】玉箱シャッター開閉機構１３の詳細を示す図である。
【図４】開閉アーム２７の詳細を示す外観斜視図である。
【図５】計数装置９に玉箱１１が設置された状態において、開閉アーム２７の作動状態を示す部分断面図であり、（ａ）は計数レバー１５を操作しない状態を示す図であり（ｂ）は計数レバー１５を操作した状態を示す図である。
【図６】計数装置９に玉箱１１を設置しない状態において開閉アーム２７の作動状態を示す部分断面図であり、（ａ）は計数レバー１５を操作しない状態を示す図であり（ｂ）は計数レバー１５を操作した状態を示す図である。
【符号の説明】
【００２６】
１      遊技島
３      遊技台
３ａ    下皿
９      計数装置
１１    玉箱
１１ａ  排出窓
１１ｂ  シャッター
１３    玉箱シャッター開閉機構
１５    計数レバー（計数操作部）
２５    アーム作動体
２７    開閉アーム
２７ａ  当接体
【図１】
2010042067.tif 000003
【図２】
2010042067.tif 000004
【図３】
2010042067.tif 000005
【図４】
2010042067.tif 000006
【図５】
2010042067.tif 000007
【図６】
2010042067.tif 000008